(57)【要約】【課題】ログフィルタ条件設定を容易に行える情報処理装置、ログ管理システム及びログ管理方法を提供すること。【解決手段】本発明に係る情報処理装置は、ログを生成するログ生成手段と、予め記録されているログ記録設定情報に基づいて、ログ生成手段で生成されたログを、該ログの属性情報と併せて記録することが可能なログ記録手段と、ログ記録手段で記録されたログを、該ログに併せて記録されている属性情報とともに参照するための参照画面と、該参照画面に表示されたログ又は属性情報を、ログ記録手段への記録の対象から除外する操作を行うための操作画面とを表示手段に表示させる操作画面提供手段とを有し、操作画面から操作されたログ又は属性情報を、ログ記録手段への記録の対象から除外するように前記ログ記録設定情報を更新する。【選択図】図８
2010218313.tif 000002
【特許請求の範囲】
【請求項１】
情報処理装置であって、
ログを生成するログ生成手段と、
予め記録されているログ記録設定情報に基づいて、前記ログ生成手段で生成されたログを、該ログの属性情報と併せて記録することが可能なログ記録手段と、
前記ログ記録手段で記録されたログを、該ログに併せて記録されている属性情報とともに参照するための参照画面と、該参照画面に表示されたログ又は属性情報を、前記ログ記録手段への記録の対象から除外する操作を行うための操作画面とを表示手段に表示させる操作画面提供手段と
を有し、
前記操作画面から操作されたログ又は属性情報を、前記ログ記録手段への記録の対象から除外するように前記ログ記録設定情報を更新すること
を特徴とする情報処理装置。
【請求項２】
前記操作画面提供手段は、前記参照画面に表示された前記ログの属性情報の値に基づいて、当該値と同一の値の属性情報を有するログを、記録の対象から除外する操作画面を提供すること
を特徴とする請求項１に記載の情報処理装置。
【請求項３】
ログ転送装置と、前記ログ転送装置からのログ収集及びログ管理を行うログ管理装置とからなるログ管理システムであって、
前記ログ転送装置は、
ログを生成するログ生成手段と、
予め記録されているログ記録設定情報に基づいて、前記ログ生成手段で生成されたログを、該ログの属性情報と併せて記録することが可能なログ記録手段と、
予め記録されているログ転送設定情報に基づいて、前記ログ記録手段で記録されたログを、前記ログ管理装置に転送するログ転送手段と
を有し、
前記ログ管理装置は、
前記ログ転送手段から転送されたログを、該ログに併せて記録されている属性情報とともに参照するための参照画面と、該参照画面に表示されたログ又は属性情報を、記録及び転送の対象から除外する操作を行うための操作画面とを表示手段に表示させる操作画面提供手段と
を有し、
前記操作画面から操作されたログ又は属性情報を、記録の対象から除外するように前記ログ記録設定情報を更新し、転送の対象から除外するように前記ログ転送設定情報を更新すること
を特徴とするログ管理システム。
【請求項４】
前記操作画面提供手段は、前記参照画面に表示された前記ログの属性情報の値に基づいて、当該値と同一の値の属性情報を有するログを、記録及び転送の対象から除外する操作画面を提供すること
を特徴とする請求項３に記載のログ管理システム。
【請求項５】
情報処理装置におけるログ管理方法であって、
前記情報処理装置は、
ログを生成するログ生成手順と、
予め記録されているログ記録設定情報に基づいて、前記ログ生成手順で生成されたログを、該ログの属性情報と併せて記録することが可能なログ記録手順と、
前記ログ記録手順で記録されたログを、該ログに併せて記録されている属性情報とともに参照するための参照画面と、該参照画面に表示されたログ又は属性情報を、前記ログ記録手段への記録の対象から除外する操作を行うための操作画面とを表示手段に表示させる操作画面提供手順と、
前記操作画面から操作されたログ又は属性情報を、前記ログ記録手段への記録の対象から除外するように前記ログ記録設定情報を更新する更新手順と
を有することを特徴とするログ管理方法。
【請求項６】
前記操作画面提供手順は、前記参照画面に表示された前記ログの属性情報の値に基づいて、当該値と同一の値の属性情報を有するログを、記録の対象から除外する操作画面を提供すること
を特徴とする請求項５に記載のログ管理方法。
【発明の詳細な説明】
【技術分野】
【０００１】
本発明は、情報処理装置、ログ管理システム及びログ管理方法の分野に関する。
【背景技術】
【０００２】
システムや装置を運用するにあたり、通常、システムログ（以下ログという）が収集される。ログは、システムや装置のＯＳ（Operating System）、アプリケーション、サービス等がその処理内容、状態、警告等の履歴を記録として残すものであり、システム管理には欠かせない。
【０００３】
一般に、ログはまずその装置内部に蓄積される。また、装置がログの保存期間や蓄積量、ログ種類の重要度等に応じて外部のログサーバに蓄積ログを転送すれば、ログサーバ側で一元的に複数の装置のログ管理を行うことができる（例えば特許文献１参照）。このように収集されたログは、システム障害対応、状態管理、使用管理、課金管理等の様々な用途に活用される。
【０００４】
ログは大量に発生するので装置のメモリ内に制限なく全てのログを記録することはできない。よって対応としては、メモリが一杯になったときには古いログを削除したり、新しいログで上書する。また、外部のログサーバに転送すれば、転送済みのログは装置内部から削除できる。また、ログを間引くという方法もある。ログ記録のフィルタリングを行って、不要なログは記録しないようにする（例えば特許文献２参照）。
【発明の概要】
【発明が解決しようとする課題】
【０００５】
ログを間引くには単純に、不要なログは記録しなければよい。つまりイベントログ等の必要なログのみ記録又はログサーバ転送するようにして、不要なログは記録又は転送しないようにログフィルタ条件設定を行なうことでログのスリム化が可能である。一般に、出荷状態において、装置は標準的に推奨されるログフィルタ条件でログフィルタ条件設定がなされている場合が多い。この場合、ユーザは自らログフィルタ条件設定を行わずともある程度は不要なログを排除できる。
【０００６】
しかしながら、ユーザ自身の使用環境や必要に応じて、やはりログフィルタ条件設定を変更（カスタマイズ）したいという要請がある。例えば、業務上毎日大量のファックス送信を行うユーザにとって、電話（ＴＥＬ）接続のセキュリティログは失敗の場合のみ記録されればよいし、蓄積文書を頻繁に使うユーザにとって、蓄積文書が参照されたというイベントログは不要だが文書が削除されたというログのみ記録されればよい。
【０００７】
しかし現実にはログの種類は非常に多いものである。従って、各種イベントや各種イベントの属性レベルまで考慮すれば、全てを正確に理解して適切にログフィルタ条件設定を施すことは非常に困難である。このように従来、ログフィルタ条件設定を行うことは困難な作業であり、ゆえに的確に設定を行うことができず、不要なログまでも記録又はログサーバ転送されており、その結果、記憶容量を圧迫していた。また不要なログが記録されていると、必要とされるログまでもが埋もれてしまい、ログ参照時、非常に見にくくなる場合があり望ましくない。
【０００８】
本発明では上記のような問題に鑑みて、ログフィルタ条件設定を容易に行える情報処理装置、ログ管理システム及びログ管理方法を提供することを目的とする。より具体的には、必要なログのみ記録又は転送するようにし、不要なログは記録又は転送しないよう、容易にログフィルタ条件設定を行えて適切なログの間引きを可能とする情報処理装置、ログ管理システム及びログ管理方法を本発明により提案する。
【課題を解決するための手段】
【０００９】
そこで上記課題を解決するため、本発明に係る情報処理装置は、情報処理装置であって、ログを生成するログ生成手段と、予め記録されているログ記録設定情報に基づいて、前記ログ生成手段で生成されたログを、該ログの属性情報と併せて記録することが可能なログ記録手段と、前記ログ記録手段で記録されたログを、該ログに併せて記録されている属性情報とともに参照するための参照画面と、該参照画面に表示されたログ又は属性情報を、前記ログ記録手段への記録の対象から除外する操作を行うための操作画面とを表示手段に表示させる操作画面提供手段とを有し、前記操作画面から操作されたログ又は属性情報を、前記ログ記録手段への記録の対象から除外するように前記ログ記録設定情報を更新することを特徴とする。
【００１０】
また上記課題を解決するため、前記情報処理装置において、前記操作画面提供手段は、前記参照画面に表示された前記ログの属性情報の値に基づいて、当該値と同一の値の属性情報を有するログを、記録の対象から除外する操作画面を提供することを特徴とする。
【００１１】
また上記課題を解決するため、本発明に係るログ管理システムは、ログ転送装置と、前記ログ転送装置からのログ収集及びログ管理を行うログ管理装置とからなるログ管理システムであって、前記ログ転送装置は、ログを生成するログ生成手段と、予め記録されているログ記録設定情報に基づいて、前記ログ生成手段で生成されたログを、該ログの属性情報と併せて記録することが可能なログ記録手段と、予め記録されているログ転送設定情報に基づいて、前記ログ記録手段で記録されたログを、前記ログ管理装置に転送するログ転送手段とを有し、前記ログ管理装置は、前記ログ転送手段から転送されたログを、該ログに併せて記録されている属性情報とともに参照するための参照画面と、該参照画面に表示されたログ又は属性情報を、記録及び転送の対象から除外する操作を行うための操作画面とを表示手段に表示させる操作画面提供手段とを有し、前記操作画面から操作されたログ又は属性情報を、記録の対象から除外するように前記ログ記録設定情報を更新し、転送の対象から除外するように前記ログ転送設定情報を更新することを特徴とする。
【００１２】
また上記課題を解決するため、前記ログ管理システムにおいて、前記操作画面提供手段は、前記参照画面に表示された前記ログの属性情報の値に基づいて、当該値と同一の値の属性情報を有するログを、記録及び転送の対象から除外する操作画面を提供することを特徴とする。
【００１３】
また上記課題を解決するため、本発明に係るログ管理方法は、情報処理装置におけるログ管理方法であって、前記情報処理装置は、ログを生成するログ生成手順と、予め記録されているログ記録設定情報に基づいて、前記ログ生成手順で生成されたログを、該ログの属性情報と併せて記録することが可能なログ記録手順と、前記ログ記録手順で記録されたログを、該ログに併せて記録されている属性情報とともに参照するための参照画面と、該参照画面に表示されたログ又は属性情報を、前記ログ記録手段への記録の対象から除外する操作を行うための操作画面とを表示手段に表示させる操作画面提供手順と、前記操作画面から操作されたログ又は属性情報を、前記ログ記録手段への記録の対象から除外するように前記ログ記録設定情報を更新する更新手順とを有することを特徴とする。
【００１４】
また上記課題を解決するため、前記ログ管理方法において、前記操作画面提供手順は、前記参照画面に表示された前記ログの属性情報の値に基づいて、当該値と同一の値の属性情報を有するログを、記録の対象から除外する操作画面を提供することを特徴とする。
【００１５】
なお、本発明の構成要素、表現または構成要素の任意の組合せを、方法、装置、システム、コンピュータプログラム、記録媒体、などに適用したものも本発明の態様として有効である。
【発明の効果】
【００１６】
本発明によれば、ログフィルタ条件設定を容易に行える情報処理装置、ログ管理システム及びログ管理方法を提供することができる。
【図面の簡単な説明】
【００１７】
【図１】本発明に係る画像形成装置の外観図の一例である。
【図２】一般的なログフィルタポリシーを示す図の一例である。
【図３】本発明の実施形態に係る画像形成装置１のハードウェア構成の一例を示す図である。
【図４】画像形成装置１の一実施形態の主要機能構成を示す機能ブロック図である。
【図５】ログ記録設定情報を示す図の一例である。
【図６】記録ログ情報を示す図の一例である。
【図７】ログ記録判定情報を示す図の一例である。
【図８】ログ記録設定操作を行う画面遷移を示す図の一例である。
【図９】更新されたログ記録設定情報を示す図の一例である。
【図１０】更新されたログ記録設定情報を示す図の一例である。
【図１１】更新されたログ記録判定情報を示す図の一例である。
【図１２】ログ記録設定を編集する画面を示す図の一例である。
【図１３】本発明に係る一実施形態におけるシステム構成図の一例である。
【図１４】一般的なログフィルタポリシーを示す図の一例である。
【図１５】本発明に係るログサーバ２の一実施形態の主要構成を示すハードウェア構成図である。
【図１６】画像形成装置１及びログサーバ２の一実施形態の主要機能構成を示す機能ブロック図である。
【図１７】ログ転送設定情報４０８を示す図の一例である。
【図１８】ログ転送判定情報を示す図の一例である。
【図１９】ログ転送設定操作を行う画面遷移を示す図の一例である。
【図２０】ログ転送設定操作を行う画面遷移を示す図の一例である。
【図２１】作成されたログ転送設定情報を示す図の一例である。
【図２２】作成されたログ転送判定情報を示す図の一例である。
【図２３】ログ転送設定を編集する画面を示す図の一例である。
【図２４】本実施形態に係るログサーバ２及び画像形成装置１の動作を説明するシーケンス図である。
【発明を実施するための形態】
【００１８】
以下、本発明を実施するための形態を各実施形態において図面を用いて説明する。
【００１９】
[実施形態１]
＜構成＞
はじめに、具体的な発明の内容を説明する前に、本発明を実施するにあたってのシステムについて説明する。図１は、本発明に係る画像形成装置の外観図の一例である。情報処理装置の一例としての画像形成装置１は、プリンタ、コピーおよびスキャナなどの複数の機能を一つの筐体内に収納したデジタル複合機（MFP：Multi-Function Peripheral）である。これら基本機能だけでなく、デジタル画像技術の高度化やＭＦＰに関連する技術の進化に伴い多彩な機能を有し、ユーザ環境において様々な利用形態を提供する。従ってこれら機能を実現させる各種アプリケーションを搭載しており、これらアプリケーションは多くのシステムログを生成（ログ生成手段）し、生成されたログは内部の記録装置等に記録（ログ記録手段）される。そして記録されたログは、画像形成装置１のパネル（表示手段）や外部装置等から参照できるようになっている。
【００２０】
ログ生成手段が生成したログは、画像形成装置１内部のディスク等に記録されるが、記録するログの種類が多い程、内部のディスク容量を消費する。よって、一定期間を経過したログは削除される。また一定蓄積量を超えたとき古いログから削除されてもよいし、さらにログ種類の重要度等に応じて削除ログの優先度を設けてもよい。
【００２１】
またログの記録は全てのログについてなされる訳ではなく、ログ記録設定（ログ記録フィルタ）に従って対象ログのみ記録される。例えば、イベントログＡは記録して、イベントログＢは記録不要として記録しないように設定できる。また属性レベルのフィルタも可能で、例えばイベントログＡの属性情報である属性情報Ｃは記録し、属性情報Ｄは記録しないように設定できる。
【００２２】
ログ記録設定を行うか否かは、管理上等の観点から、多種に及ぶログの中からログの重要度に基づいて決定（設定）される。図２は、一般的なログフィルタポリシーを示す図の一例である。概念的な考え方として、あるログの重要度が高い場合、ログ記録を行い、保存期間を長期間とする。あるログの重要度が中程度の場合、ログ記録を行うが、保存期間を短期間とする。あるログの重要度が低い場合、ログ記録を行なわない。具体的には、個々のイベントやイベント属性毎に、管理ポリシーに応じて個々にログ記録設定（ログ記録フィルタ）がなされる。
【００２３】
（画像形成装置）
図３は、本発明の実施形態に係る画像形成装置１のハードウェア構成の一例を示す図である。本実施形態に係る画像形成装置１は、操作パネル１１と、記憶メディアＩ／Ｆ１２と、コントローラ１３と、データ通信Ｉ／Ｆ１４と、スキャナ１５と、プロッタ１６と、ＨＤＤ（Hard Disk Drive）１７とから構成され、それぞれ相互に接続されている。
【００２４】
操作パネル１１は、入力装置１１aと表示装置１１bとを有しており、入力装置１１aは、ハードキーなどで構成され、画像形成装置１に各操作信号を入力するのに用いられる。また、表示装置１１bは、ディスプレイなどで構成され、例えば画像形成動作に関する各種情報を表示する。操作パネル１１は、表示手段に共用できるディスプレイは、触覚センサによるタッチパネル式ディスプレイ上に構成されるソフトウェアキーへの接触による操作指示が可能なものでもよい。
【００２５】
データ通信Ｉ／Ｆ１４は、インタフェース装置１４aを有しており、画像形成装置１をネットワークやファックスなどのデータ伝送路に接続するインタフェースである。
【００２６】
ＨＤＤ１７は、画像形成装置１で取り扱われる受信文書データや読み取り画像データ、又ログなどの各種データを格納している。また、ＨＤＤ１７は、これらの各種データを、所定のファイルシステムやＤＢ（Data Base）により管理している。ＨＤＤ１７に格納される各種データの中には、記録媒体１２bから入力されるデータを含む。記録媒体１２bは、記憶メディアＩ／Ｆ１２が有するドライブ装置１２aにセットされ各種データが記録媒体１２bからドライブ装置１２aを介してＨＤＤ１７に格納される。
【００２７】
コントローラ１３は、ＲＯＭ（Read Only Memory）１３a、ＲＡＭ（Random Access Memory）１３b、及びＣＰＵ（Central Processing Unit）１３cとを有しており、ＲＯＭ１３aは、画像形成装置１が起動されるときに実行されるプログラムや各種データを格納している。また、ＲＡＭ１３bは、ＲＯＭ１３aやＨＤＤ１７から読み出された各種プログラムやデータを一時保持する。更に、ＣＰＵ１３cは、ＲＡＭ１３bが一時保持しているプログラムを実行する。コントローラ１３は、例えば、データ通信Ｉ／Ｆ１４を介して印刷データを受信した場合に、ＲＯＭ１３aからＲＡＭ１３b上に読み出された、ＰＤＬ（Page Description Language）を解釈可能なプログラム（ＰＤＬパーサ）をＣＰＵ１３cにより実行し、印刷データを解釈してビットマップイメージを生成する。
【００２８】
スキャナ１５は、画像読取装置１５aを有しており、読み取り面に配置された原稿を光学的に読み取り画像データを生成する。プロッタ１６は、印刷装置１６aを有しており、例えば、電子写真プロセス方式によってビットマップイメージを記録紙に印刷する。
【００２９】
（機能）
図４は、画像形成装置１の一実施形態の主要機能構成を示す機能ブロック図である。画像形成装置１は、主な機能部として、ログ生成部４０１、ログ記録部４０２、ＵＩ提供部４０３、ログ管理部４０４、ログ蓄積部４０５、及びログ記録設定情報４０６を含む構成である。各機能部の機能動作については再度詳細に説明を行うので、ここでは簡単に説明する。
【００３０】
ログ生成部４０１は、画像形成装置１のログを生成する。具体的には、画像形成装置１のＯＳ、各種アプリケーション等によりログが生成される。
【００３１】
ログ記録部４０２は、ログ生成部４０１で生成されたログを記録する。記録されたログはログ蓄積部４０５に蓄積される。記録の際、ログ記録設定情報４０６に基づいて記録すべきログを記録する。ログ記録設定情報４０６では、イベント種類毎、属性情報毎にログ記録の有無が設定されているので、ログ記録部４０２はこれに従い記録すべきログを記録する。
【００３２】
ＵＩ提供部４０３は、ＵＩ（User Interface）を生成し表示手段に提供する。例えば、記録されたログを属性情報とともに表示する参照画面（ログ一覧参照画面）や、参照画面に表示されたログを操作してログ記録設定を行える操作画面を提供する。つまり、ユーザはＵＩ提供部４０３による参照画面や操作画面からログ記録設定を行う。画面例等ついては後に詳細に説明する。
【００３３】
ログ管理部４０４は、ログに関する機能全般を管理（制御）する。ＵＩ提供部４０３に表示すべきログを提供し参照画面の提供を指示する。また操作画面からの設定操作内容を解釈し、ログ記録設定情報４０６にその内容を反映させる。
【００３４】
ログ蓄積部４０５は、ログ記録部４０２が記録したログを蓄積する。またログ記録設定情報４０６は、イベント種類毎、属性情報毎にログ記録の有無が設定されているログ設定ファイルである。ログ記録部４０２はこのログ記録の有無の設定に従い記録すべきログを記録する。このログ記録設定情報４０６については具体的に後述する。
【００３５】
なお上記説明したこれらの機能は、実際にはＣＰＵ１３ｃが実行するプログラムによりコンピュータ（画像形成装置１）に実現させるものである。
【００３６】
（ログ記録設定情報）
図５は、ログ記録設定情報を示す図の一例である。上述したように、ログ記録設定情報４０６は、イベント種類毎、属性情報毎にログ記録の有無（記録する／記録しない）が設定されているログ設定ファイルである。ログ記録部４０２は、ログ記録設定情報４０６に従って、記録すべきログを記録する。いわばこれはログ記録フィルタともいえ、不要なログ又は属性情報を記録しないようにする。
【００３７】
具体的に図を参照しながら説明を行う。ログ記録設定情報４０６は、一例としてテーブル形式で表現されている。行（横ライン）にはログに関する各項目が設けられ、列（縦ライン）には、ログを記録し得るイベントが登録されている。行（横ライン）の「イベント設定」及び「イベント名」項目は、そのイベント自体のログを記録するか（ＯＮ）／記録しないか（ＯＦＦ）の設定を示す。また、イベント毎にそのイベントに関する属性情報が、「属性１」、「属性２」・・というように対応付けられている。勿論イベントによって属性情報の個数は異なる。例えば、「イベント名」が「設定情報操作」（１行目参照）であるイベントは、６の属性情報を有している（属性１〜６）。このイベント「設定情報操作」は、ユーザが何らかの設定情報の操作を行った作業履歴を示すものなので、ログとしてその具体的な内容を記録するものである必要がある。具体的に、結果（例えば成功／失敗）はどのようなものだったのか（属性１）、どのユーザが行ったのか（属性２）、どのような設定情報操作を行ったのか（属性３）、どのような設定項目を操作したのか（属性４）、更新前（設定情報操作前）の設定値はどのようなものであったか（属性５）、更新後（設定情報操作後）の設定値はどのようなものになったか（属性６）、といった属性情報を有するイベントである。また、属性情報毎（項目毎）にログに記録するか（ＯＮ）／記録しないか（ＯＦＦ）の設定がなされる。そして記録しない（ＯＦＦ）とされた属性情報は、ログ上記録されない。不要な属性情報だからである。
【００３８】
図６は、記録ログ情報を示す図の一例である。例えばＣＳＶ形式で、ログ発生日時、イベント名、及び各属性情報の値がログとして記録されている。図５のログ記録設定情報４０６におけるイベント「設定情報操作」の設定内容と、実際に記録されたログとを対比させてみれば、属性毎に対応するように、属性情報の値（出力結果）がファイルに記録されていることが分かる。
【００３９】
図７は、ログ記録判定情報を示す図の一例である。ログ記録判定情報とは、ログ記録設定情報４０６に含む情報（ログ記録設定情報の一種）で、属性情報の「値」に基づいて、そのログの記録の有無（記録する／記録しない）を設定するものである。つまり、図５に示されるログ記録設定情報のみであると、属性情報の「値」如何に応じてそのログの記録の有無を設定することができない。
【００４０】
具体的に説明する。例えば、業務上毎日大量のファックス送信を行うユーザにとって、電話（ＴＥＬ）接続のセキュリティログは「失敗」（属性情報の値）の場合のみ記録されればよい。「成功」（属性情報の値）の場合は、「成功」ログの記録は不要で、むしろログの視認性や記録容量の観点から望ましくない。これを実現するには、図５に示されるログ記録設定情報のみでは不足である。属性情報の値自体を記録するか（ＯＮ）／記録しないか（ＯＦＦ）の設定であるので、値が「成功」であれ「失敗」であれ記録されることになる。従ってこれを実現するには、属性情報の「値」に基づいて、そのログの記録の有無（記録する／記録しない）を設定する情報が必要である。
【００４１】
再び図７を参照し、イベント「ＴＥＬ回線接続」（３行目参照）に設定されるように、属性名「結果」においてその「値」が成功である場合、そのログの記録をしないことが設定されている。この場合、ログ記録部４０２は、電話（ＴＥＬ）接続のセキュリティログが「成功」（属性情報の値）の場合は、イベント「ＴＥＬ回線接続」のログを記録しないよう動作する。なお、ここではログを記録しない場合の「値条件」を示すものであるが、これとは逆の条件を表現してログを記録する場合の「値条件」を示すこともできる。
【００４２】
ところで、一般にログのイベント種類は多種の渡り、イベントの属性情報まで含めるとその数は莫大である。従って、属性情報がどのような値を予定するかまでもを的確に把握することは大変困難である。イベントによって有する属性情報は異なり、属性情報が異なれば、当然ながらその値も異なっている。その数は相当なものであることが想定される。またログとして出力される値によっては、例えば、「エラー１００２」、「エラー５７８９」等、その値自体の意味を把握することさえ困難なものもある。そして、図７に示されるようなログ記録判定条件をユーザ自ら設定する場合、その属性情報がとりうる(出力される)値を調べて設定を行う必要がある。ゆえに、ログ記録判定条件を設定（作成）する作業は可能ではあるが、大変困難な作業であることをここでは強調しておく。以下、説明を続ける。
【００４３】
（設定画面）
図８は、ログ記録設定操作を行う画面遷移を示す図の一例である。これら表示画面は画像形成装置１のタッチパネル式ディスプレイ上（操作パネル１１）に表示される。以下、説明を行う。
【００４４】
画面８０１は、実際に記録されたログを属性情報とともに表示する参照画面（ログ一覧参照画面）である。ＵＩ提供部４０３が、ログ蓄積部４０５に蓄積されたログを、見易いように一覧表示形式で表示させている。画面８０１を参照すれば、実際のログをまずイベント（名）レベルで参照可能である。そしてこれから説明するように、イベントを選択してログを詳細表示でき、選択したイベントと同じイベントを記録対象から外すことができる。
【００４５】
ユーザは画面８０１で、記録対象から外したいイベントをログ記録の対象から除外する操作を行えるようになっている。画面８０１においてイベントを選択し、「選択イベントを記録対象から外す」ボタンを押下すると、画面８０２へ遷移する。画面８０２で、その旨を確認する確認ボックスが表示されており、「ＯＫ」を押下すると、選択されたイベント「設定情報操作」のログは以後記録しないように設定される。
【００４６】
図９は、更新されたログ記録設定情報を示す図の一例である。画面８０１及び画面８０２の参照画面からの操作に対応するように、ログ記録設定情報４０６においても、イベント「設定情報操作」のログは以後記録しないように設定が更新される（ログ管理部４０４）。図に示されるように、イベント「設定情報操作」は記録をしない（ＯＦＦ９０１）に設定変更されている。
【００４７】
再び画面８０１に戻り、一方、画面８０１においてイベントを選択し、「選択イベントを詳細表示」ボタンを押下すると、画面８０３へ遷移する。画面８０３は、選択されたイベントのログ詳細が表示される画面である。ログ詳細では、前述の「属性情報」及びその「値」に対応して表示されるので、イベントの属性情報表示画面ともいえる。また再び図６を参照すると、２行目のログは画面８０３で表示されるログ詳細と対応していることが分かる。
【００４８】
次に画面８０３において、属性（名）を１つ以上選択し、「詳細記録設定」ボタンを押下する。すると、画面８０４へ遷移する。画面８０４では、「選択した属性を記録しない」設定を行うことができる。図に示されるように、属性として「結果」、「設定項目名」が選択され、「選択した属性を記録しない」ボタンが押下されると、イベント「設定情報操作」において、属性情報「結果」（属性１）、「設定項目名」（属性４）は、「設定情報操作」のイベントログ内に以後記録しないように設定される。
【００４９】
図１０は、更新されたログ記録設定情報を示す図の一例である。画面８０４の参照画面（操作画面）からの操作に対応するように、ログ記録設定情報４０６においても、イベント「設定情報操作」において、属性名「結果」（属性１）、「設定項目名」（属性４）は以後記録しないように設定が更新される（ログ管理部４０４）。図に示されるように、属性名「結果」（属性１）はＯＦＦ１００１に、属性名「設定項目名」（属性４）はＯＦＦ１００２に設定変更されている。
【００５０】
再び画面８０４戻り、今度は、「選択した属性の値が同じログを記録しない」設定を行うことができる。図に示されるように、属性として「結果」、「設定項目名」が選択され、「選択した属性の値が同じログを記録しない」ボタンが押下されると、イベント「設定情報操作」において、属性名「結果」の値が「成功」、且つ「設定項目名」の値が「トレイ１設定」であるイベント「設定情報操作」のログは以後記録しないように設定される。つまり、属性情報の値を条件として当該イベントログの記録の有無を設定する。
【００５１】
図１１は、更新されたログ記録判定情報を示す図の一例である。画面８０４の参照画面（操作画面）からの操作に対応するように、ログ記録判定情報においても、イベント「設定情報操作」において、属性名「結果」の値が「成功」、且つ「設定項目名」の値が「トレイ１設定」であるイベント「設定情報操作」のログは以後記録しないように設定が更新される（ログ管理部４０４）。図に示されるように、条件１として属性名に「結果」、値に「成功」が登録され、且つ条件２として属性名に「設定項目名」、値に「トレイ１設定」が登録されている。この設定により、属性名「結果」の値が「成功」であり、且つ属性名「設定項目名」の値が「トレイ１設定」であるイベント「設定情報操作」のログは、記録されない。
【００５２】
ここで先のファックスの例にこれを適用する。イベント「ＴＥＬ回線接続」において、条件１として属性名「結果」の値が「成功」となるようにログ記録判定情報に登録されれば、電話（ＴＥＬ）接続のセキュリティログは「失敗」の場合のみ記録されるようにすることができる。
【００５３】
なお、上述したように参照画面から実際に記録されたログを操作してログ記録の有無の設定を行うようにしたが、そのログ記録設定に関し編集（削除）操作を行う手段を設ける必要がある。図１２は、ログ記録設定を編集する画面を示す図の一例である。図のように画面１２０１では、ログ記録設定の一覧が示されている。例えば、「設定情報操作」の「記録設定」欄において「詳細」ボタンを押下すると、画面１２０２に遷移し、「設定情報操作」の属性情報を記録するか記録しないかの編集を行うことができる。また、「設定情報操作」の「記録条件」欄において「詳細」ボタンを押下すると、画面１２０３に遷移し、イベント「設定情報操作」の属性情報の値に応じた記録の有無（属性情報の値に応じた記録条件設定）に関する設定の編集を行うことができる。画面１２０３では、先の設定つまりイベント「設定情報操作」において、属性名「結果」の値が「成功」、且つ「設定項目名」の値が「トレイ１設定」であるイベント「設定情報操作」のログは以後記録しないように設定がなされたが、その内容が反映されている（２行目）。そして画面１２０３で、当該設定において「詳細」ボタンを押下すると、画面１２０４に遷移し、設定内容の確認及び削除を行なうことができる。勿論、この操作に対応して、ログ記録判定情報を含むログ記録設定情報４０６が参照、編集されていることは言うまでもない。
【００５４】
以上本実施形態による画像形成装置１によれば、実際に記録されたログを参照可能な参照画面及び設定操作可能な操作画面を提供し、その画面から実際に記録されたログを参照及び操作しながら、あるイベントを選択し、そのイベントのログ記録の有無、そのイベントの属性情報の記録の有無、さらにそのイベントの属性情報の値に応じた記録の有無を直感的に設定することができる。特に、イベントの属性情報の値に応じた記録の有無（属性情報の値に応じた記録条件設定）を、実際に記録（出力）された値を見ながら、どのような値が取得されたときにそのイベントのログ記録が必要（又は不必要）であるかを容易に設定できる。また、難易度の高い複雑なログ記録設定であっても容易に設定できるので、不要なログを排除して適切なログの間引きを可能にする。
【００５５】
[実施形態２]
次に実施形態２として、ログ管理システムを説明する。本実施形態においては、前述の画像形成装置１が内部に記録するログを、外部のログサーバに転送するようにする。ログサーバでは一元的に複数の画像形成装置１からのログを管理し、またログ記録設定情報やログ転送設定情報といった設定も中央のログサーバから各画像形成装置１に対して行うことができるシステムである。以下、詳しく説明していく。
【００５６】
＜構成＞
まず、本実施形態においてのシステム構成について説明する。図１３は、本発明に係る一実施形態におけるシステム構成図の一例である。画像形成装置１、ログサーバ２、プリンタ３、及び情報処理装置４が、ＬＡＮ（Local Area Network）及びＷＡＮ（Wide Area Network）を含むネットワーク５を介して接続されている。
【００５７】
画像形成装置１は、ログ転送装置として動作し、自装置の各種処理に係るログを生成するログ生成手段、及び生成されたログをログサーバ２に転送する転送手段を有する。画像形成装置１は、当該装置の機能を実現させる各種アプリケーションを搭載しておりこれらアプリケーションは多くのシステムログを生成する。なお、画像形成装置１については既に説明を行っているので、本実施形態において説明が必要な点や、前述と異なる点を説明し、重複する点についてはその説明を省略する。
【００５８】
ログサーバ２は、ログ転送装置として動作する画像形成装置１、プリンタ３、及び情報処理装置４からログを収集し、収集したログの管理を行うログ管理装置である。ログサーバ２はログ管理全般を行うので、ネットワーク５越しからログ転送装置に各種ログに関する設定（例えばログ記録設定やログ転送設定）を行うことができるようになっている。
【００５９】
プリンタ３及び情報処理装置４は、画像形成装置１と同様、ログ転送装置として動作し、自装置の各種処理に係るログを生成するログ生成手段、及び生成されたログをログサーバ２に転送する転送手段を有する。これら装置は、ログサーバ２対しログ転送装置として動作すればよく、装置の機能や備えるアプリケーション等に限定されない。なお以下、画像形成装置１、プリンタ３、及び情報処理装置４をまとめてログ転送装置という場合がある。また、画像形成装置１がログ転送装置を代表して説明される場合がある。
【００６０】
ログ転送装置のログ生成手段が生成したログは、装置内部のディスクに記録されるが、記録するログの種類が多い程、内部のディスク容量を消費する。そして、ログ転送装置で記録されたログは所定タイミング（期間や蓄積量等による）でログサーバ２に転送される。勿論、ログの記録及び転送は全てのログについてなされる訳ではなく、設定（例えばログ記録設定やログ転送設定）に従って、対象ログのみ記録及び転送がなされる。ログサーバ２は、複数台のログ転送装置のログを一元的に管理する。例えば、大規模になるとその数は数百台〜千台程度の管理が可能である。但し、管理台数が多い程、ログ量は増加し、ログサーバ２の処理負荷やネットワーク負荷、ディスク容量を増大させる。
【００６１】
ログ転送装置がログ記録を行うか否か、記憶されたログの転送を行うか否かは、ログ転送装置を管理に際し各種ログの重要度に基づいて、イベントやイベント属性毎に決定（設定）される。図１４は、一般的なログフィルタポリシーを示す図の一例である。概念的な考え方として、あるログの重要度が高い場合、装置内部でログ記録及びログサーバへのログ転送を行う。あるログの重要度が中程度の場合、装置内部でログ記録を行うがログサーバへのログ転送は行わない。あるログの重要度が低い場合、装置内部でログ記録及びログサーバへのログ転送のいずれも行なわない。具体的には、個々のイベントやイベント属性毎に、管理ポリシーに応じて個々に設定（例えばログ記録設定やログ転送設定）がなされる。
【００６２】
（ログサーバ）
図１５、本発明に係るログサーバ２の一実施形態の主要構成を示すハードウェア構成図である。ログサーバ２のハードウェア構成について簡単に説明しておく。本実施形態に係るログサーバ２は、主要な構成として、ＣＰＵ２０１、ＲＯＭ（Read Only Memory）２０２、ＲＡＭ（Random Access Memory）２０３、補助記憶装置２０４、記憶媒体読取装置２０５、入力装置２０６、表示装置２０７、及び通信装置２０８を含む構成である。
【００６３】
ＣＰＵ２０１は、マイクロプロセッサ及びその周辺回路から構成され、ＰＣ１全体を制御する回路である。また、ＲＯＭ２０２は、ＣＰＵ２０１で実行される所定の制御プログラム（ソフトウェア部品）を格納するメモリであり、ＲＡＭ２０３は、ＣＰＵ２０１がＲＯＭ２０２に格納された所定の制御プログラム（ソフトウェア部品）を実行して各種の制御を行うときの作業エリア（ワーク領域）として使用するメモリである。
【００６４】
補助記憶装置２０４は、汎用のＯＳ（Operating System）、各種情報、収集されたログ等を格納する装置であり、不揮発性の記憶装置であるＨＤＤ（Hard Disk Drive）などが用いられる。なお、上記各種情報は、補助記憶装置２０４以外にも、ＣＤ−ＲＯＭ（Compact Disk - ROM）やＤＶＤ（Digital Versatile Disk）などの記憶媒体やその他のメディアを記憶されてもよく、これらの記憶媒体に格納された各種情報は、記憶媒体読取装置２０５などのドライブ装置を介して読み取ることが可能である。
【００６５】
入力装置２０６は、サーバ管理者が各種入力操作を行うための装置である。入力装置２０６は、マウス、キーボードなどを含む。表示装置２０７は、いわゆるディスプレイで例えばＬＣＤ(Liquid Crystal Display)、ＣＲＴ(Cathode Ray Tube)などから構成される。次に、通信装置２０８は、ネットワーク５を介してログ転送装置との通信を行う装置である。有線ネットワークや無線ネットワークなど含む各種ネットワーク形態に応じた通信をサポートする。
【００６６】
（機能）
図１６は、画像形成装置１及びログサーバ２の一実施形態の主要機能構成を示す機能ブロック図である。本実施形態に係る画像形成装置１は、主な機能部として、ログ生成部４０１、ログ記録部４０２、ＵＩ提供部４０３、ログ管理部４０４、ログ蓄積部４０５、ログ転送部４０７、ログ記録設定情報４０６、及びログ転送設定情報４０８を含む構成である。画像形成装置１については、実施形態１及び図４において説明を行った機能部については前述の通りであるのでその説明は省略し、本実施形態に関する機能部であるログ転送部４０７及びログ転送設定情報４０８について説明する。
【００６７】
ログ転送部４０７は、ログ蓄積部４０５で蓄積されたログをログサーバ２に転送する機能を有している。本実施形態における画像形成装置１はログ転送装置としても動作し、自装置の各種処理に係るログをログサーバ２に転送するようになっている。
【００６８】
ログ転送設定情報４０８は、ログ転送判定情報（後述）を含み、ログ転送の可否（転送する／転送しない）が設定されているログ転送設定ファイルである。上述したログ記録設定情報４０６は、イベント種類毎、属性情報毎にログ記録の有無（記録する／記録しない）が設定されているログ設定ファイルであった。一方、ログ転送設定情報４０８は、ログ転送部４０７が蓄積されたログをログサーバ２に転送するに際し、ログ転送の可否が設定されているログ転送設定ファイルである。ログ転送部４０７はログ転送設定情報４０８に従って転送すべきログを転送する。いわばこれはログ転送フィルタともいえ、不要なログ又は属性情報をログサーバ２へ転送しないようにするものである。また詳細は後述する。
【００６９】
次いで、ログサーバ２は、主な機能部として、ログ管理部１６０１、ＵＩ提供部１６０２、設定情報作成部１６０３、設定情報転送部１６０４、及びログ蓄積部４０５を含む構成である。
【００７０】
ログ管理部１６０１は、ログに関する機能全般を管理（制御）する。ＵＩ提供部１６０２に表示すべきログを提供し表示画面の提供を指示する。また操作画面からの設定操作内容を解釈し、設定情報作成部１６０３に対しログ記録設定情報４０６及びログ転送設定情報にその内容を反映させ作成するように指示をする。
【００７１】
ＵＩ提供部１６０２は、ＵＩ（User Interface）を生成し表示手段に提供する。例えば、転送されたログを属性情報とともに表示する参照画面（ログ一覧参照画面）や、参照画面に表示されたログを操作してログ記録設定又はログ転送設定を行える操作画面を提供する。つまり、ユーザはＵＩ提供部１６０２による参照画面や操作画面からログ記録設定又はログ転送設定を行う。参照画面例等ついては後に詳細に説明する。
【００７２】
設定情報作成部１６０３は、ログ記録設定情報４０６及びログ転送設定情報４０８を作成する。具体的には、ＵＩ提供部１６０２によるログ記録設定又はログ転送設定を行える操作画面から行われた設定操作に基づいて、その内容を反映したログ記録設定情報４０６及びログ転送設定情報４０８を作成する。ログ転送設定情報４０８については具体的に後述する。
【００７３】
設定情報転送部１６０４は、設定情報作成部１６０３により作成されたログ記録設定情報４０６及びログ転送設定情報４０８を画像形成装置１に転送する。画像形成装置１のログ記録設定情報４０６及びログ転送設定情報４０８は転送されたものに更新（アップデート）され、画像形成装置１は更新後の設定に従って動作する。
【００７４】
ログ蓄積部１６０５は、画像形成装置１（ログ転送部４０７）から転送されたログを蓄積する。なお、画像形成装置１のみならず管理対象のログ転送装置（プリンタ３及び情報処理装置４含む）からのログを蓄積する。
【００７５】
なお上記説明したこれらの機能は、実際にはＣＰＵ２０２が実行するプログラムによりコンピュータ（ログサーバ２）に実現させるものである。
【００７６】
（ログ転送設定情報）
図１７は、ログ転送設定情報４０８を示す図の一例である。上述したように、ログ転送設定情報４０８は、イベント種類毎、属性情報毎にログ転送の有無（転送する／転送しない）が設定されているログ転送設定ファイルである。画像形成装置１のログ転送部４０７は、ログ転送設定情報４０８に従って、ログ蓄積部４０５に蓄積されたログから、転送すべきログをログサーバ２へ転送する。いわばこれはログ転送フィルタともいえ、不要なログ又は属性情報を転送しないようにする。なお実際には、ログ記録設定情報４０６と同じ形式を持つものだが、一実施形態として、ログの記録とログの転送と毎にそれぞれ記録又は転送のＯＮ／ＯＦＦを設定するスイッチテーブルを設けたものである。勿論、同一のテーブル（情報）に纏めることも可能である。
【００７７】
具体的に図１７を参照しながら説明を行う。ログ転送設定情報４０８は一例としてテーブル形式で表現されている。行（横ライン）にはログに関する各項目が設けられ、列（縦ライン）には、ログを転送し得るイベントが登録されている。行（横ライン）の「イベント設定」及び「イベント名」項目は、そのイベント自体のログを転送するか（ＯＮ）／転送しないか（ＯＦＦ）の設定を示す。また、イベント毎にそのイベントに関する属性情報が、「属性１」、「属性２」・・というように対応付けられている。勿論イベントによって属性情報の個数は異なる。そして属性情報毎（項目毎）にログを転送するか（ＯＮ）／転送しないか（ＯＦＦ）の設定がなされる。
【００７８】
図１８は、ログ転送判定情報を示す図の一例である。概念的には実施形態１及び図７で説明したログ記録判定情報と同様に理解できる。ログ転送判定情報とは、ログ転送設定情報４０８に含む情報（ログ転送設定情報の一種）で、属性情報の「値」に基づいて、そのログの転送の有無（転送する／転送しない）を設定するものである。これはつまり、図１７に示されるログ転送設定情報のみであると、属性情報の「値」如何に応じてそのログの転送の有無を設定することができないことによる。
【００７９】
例えば、図１８において、イベント「機器調整」（２行目参照）に設定されるように、属性名「結果」においてその「値」が自動カラー調整である場合、そのログは転送をしないことが設定されている。画像形成装置１において、ログ記録としては、属性名「結果」においてその「値」が自動カラー調整、自動カラー調整以外いずれの場合でも、ログサーバ２への転送に関しては、その「値」が自動カラー調整である場合、そのログは転送をしない。ログサーバ２では、属性名「機器調整」の「値」が自動カラー調整以外の場合のみログとして蓄積（保存）しておけばよいような場合に設定される。なお、ここではログを転送しない場合の「値条件」を示すものであるが、これとは逆の条件を表現してログを転送する場合の「値条件」を示すこともできる。
【００８０】
（設定画面）
図１９は、ログ転送設定操作を行う画面遷移を示す図の一例である。これら表示画面はログサーバ２のディスプレイ（表示装置２０７）に表示される。勿論、例えばネットワーク上の別の端末からログサーバ２にアクセスし同様の画面を呼び出すこともできる。以下、説明を行う。
【００８１】
画面１９０１は、実際にログ蓄積部１６０５に蓄積されたログを属性情報とともに表示する参照画面（ログ一覧参照画面）である。ＵＩ提供部１６０２が、ログ蓄積部１６０５に蓄積されたログを、見易いように一覧表示形式で表示させている。画面１９０１を参照すれば、実際のログをまずイベント（名）レベルで参照可能である。そしてこれから説明するように、イベントを選択してログを詳細表示でき、選択したイベントと同じイベントを転送対象から外すことができる。
【００８２】
ユーザは画面１９０１で、転送対象から外したいイベントをログ転送の対象から除外する操作をおこなえるようになっている。画面１９０１においてイベントを選択し、「選択イベントを転送対象から外す」ボタンを押下すると、画面１９０２へ遷移する。画面１９０２で、その旨を確認する確認ボックスが表示されており、「ＯＫ」を押下すると、選択されたイベント「ユーザ認証」のログは以後転送しないように設定される。
【００８３】
このとき、図１７に示されたログ転送設定情報において、画面１９０２の参照画面（操作画面）からの操作に対応するように、イベント「ユーザ認証」のログは以後転送しないログ転送設定情報４０８が作成される（設定情報作成部１６０３）。具体的には、イベント「ユーザ認証」は転送をしない（ＯＦＦ）となる（非図示）。
【００８４】
再び画面１９０１に戻り、一方、画面１９０１においてイベントを選択し、「選択イベントを詳細表示」ボタンを押下すると、画面１９０３へ遷移する。画面１９０３は、選択されたイベントのログ詳細が表示される画面である。ログ詳細では、前述の「属性情報」及びその「値」に対応して表示されるので、イベントの属性情報表示画面ともいえる。
【００８５】
次に画面１９０３において、属性（名）を１つ以上選択し、「詳細転送設定」ボタンを押下する。すると、画面１９０４へ遷移する。画面１９０４では、「選択した属性を転送しない」設定を行うことができる。図に示されるように、属性として「認証サーバＩＰ」が選択され、「選択した属性を転送しない」ボタンが押下されると、イベント「ユーザ認証」において、属性情報「認証サーバＩＰ」（属性５）を、画像形成装置１（ログ転送部４０７）はログサーバ２に以後転送しないログ転送設定情報４０８が作成される（設定情報作成部１６０３）。
【００８６】
次は図２０を参照する。画面１９０１から画面１９０２に進み、今度は、「選択した属性の値が同じログを転送しない」設定を行うことができる。図に示されるように、属性として「結果」が選択され、「選択した属性の値が同じログを転送しない」ボタンが押下されると、イベント「ユーザ認証」において、属性名「結果」の値が「成功」であるイベント「ユーザ認証」のログは以後転送しないログ転送判定情報が作成される（設定情報作成部１６０３）。つまり、属性情報の値を条件として当該イベントログの転送の有無を設定する。
【００８７】
図２１は、作成されたログ転送設定情報を示す図の一例である。画面１９０４の参照画面（操作画面）からの操作に対応するように、ログ転送設定情報４０８においても、イベント「ユーザ認証」において、属性名「認証サーバＩＰ」（属性５）は以後転送しないようなログ転送設定情報が作成される。図に示されるように、「認証サーバＩＰ」（属性５）はＯＦＦ２１０１になっている。
【００８８】
図２２は、作成されたログ転送判定情報を示す図の一例である。画面１９０４の参照画面（操作画面）からの操作に対応するように、ログ転送判定情報においても、イベント「ユーザ認証」において、属性名「結果」の値が「成功」であるイベント「ユーザ認証」のログは以後転送しないようなログ転送判定情報が作成される。図に示されるように、条件１として属性名に「結果」、値に「成功」が登録されている。この設定により、属性名「結果」の値が「成功」であるイベント「ユーザ認証」のログは、転送されない。
【００８９】
以上のように設定情報作成部１６０３は、ログ転送判定情報を含むログ転送設定情報４０８を作成する。そして設定情報転送部１６０４は、作成されたログ転送設定情報４０８を画像形成装置１に転送する。画像形成装置１のログ転送設定情報４０８は転送された設定情報に更新され、画像形成装置１は更新後の設定に従って、ログ転送動作を行う。
【００９０】
また、画面１９０１では、「選択イベントを記録対象から外す」ボタンが設けられているが、これは実施形態１で説明をしたように、イベントを選択してログを詳細表示でき、選択したイベントと同じイベントを記録対象から外すことができる。また画面１９０３の「詳細記録設定」ボタンから先に進めば（図８の画面８０４と同様）、上述したように属性情報や属性情報の値レベルでもってログ記録設定を行えることは言うまでもない。この場合、設定情報作成部１６０３は、ログ記録判定情報を含むログ記録設定情報４０６を作成する。そして設定情報転送部１６０４は、作成されたログ記録設定情報４０６を画像形成装置１に転送する。画像形成装置１のログ記録設定情報４０６は転送された設定情報に更新され、画像形成装置１は更新後の設定に従って、ログ記録動作を行う。
【００９１】
なお、ログサーバ２側は、画像形成装置１の有する最新のログ記録設定情報４０６（ログ記録判定情報含む）及びログ転送設定情報４０８（ログ転送判定情報含む）を管理（把握）しているものとする。例えば、ログサーバ２は画像形成装置１の有するログ記録設定情報４０６及びログ転送設定情報４０８を所定期間毎に同期するように取得してもよいし、画像形成装置１からログサーバ２へのログ転送のタイミングでログ記録設定情報４０６及びログ転送設定情報４０８を含め転送してもよい。
【００９２】
ここで、図１２のログ記録設定を編集する画面を示す図で示したものと同様に、ログ転送設定に関しても編集（削除）操作を行う手段を設ける必要がある。図２３は、ログ転送設定を編集する画面を示す図の一例である。図のように画面２３０１では、ログ転送設定の一覧が示されている。例えば、「ユーザ認証」の「転送設定」欄において「詳細」ボタンを押下すると、画面２３０２に遷移し、「ユーザ認証」の属性情報を転送するか転送しないかの編集を行うことができる。また、「ユーザ認証」の「転送条件」欄において「詳細」ボタンを押下すると、画面２３０３に遷移し、イベント「ユーザ認証」の属性情報の値に応じた転送の有無（属性情報の値に応じた転送条件設定）に関する設定の編集を行うことができる。画面２３０３では、先の設定つまりイベント「ユーザ認証」において、属性名「結果」の値が「成功」であるイベント「ユーザ認証」のログは以後転送しないように設定がなされたが、その内容が反映されている。そして画面２３０３で、当該設定において「詳細」ボタンを押下すると、画面２３０４にさらに遷移し、設定内容の確認及び削除を行なうことができる。勿論、この操作に対応して、ログ転送判定情報を含むログ転送設定情報４０８が新たに作成され、画像形成装置１に転送されることは言うまでもない。
【００９３】
（シーケンス）
図２４は、本実施形態に係るログサーバ２及び画像形成装置１の動作を説明するシーケンス図である。これまで説明を行ってきた内容と重複する点もあるが、図を参照しながら、ログサーバ２から画像形成装置１へのログ記録及びログ転送設定情報の反映の動作を確認的に説明する。
【００９４】
まず、ログサーバ２のＵＩ提供部１６０２は、参照画面を表示させるため、ログ管理部１６０１にログ取得要求を行う（Ｓ２４０１）。ログ管理部１６０１はログ蓄積部１６０５に蓄積されたログをＵＩ提供部１６０２に提供する（Ｓ２４０２）と、ＵＩ提供部１６０２は、一覧表示形式等によるログの参照画面（及び操作画面）の生成及び表示を行う（Ｓ２４０３）
ここで操作画面が操作され、設定操作が行われると、ＵＩ提供部１６０２は設定操作内容をログ管理部１６０１に伝達する（Ｓ２４０４）。ログ管理部１６０１はこれを解釈し、設定情報作成部１６０３にその内容を伝達するとともに設定情報作成を命令する（Ｓ２４０５）。設定情報作成部１６０３は、これに従い内容を反映した設定情報作成を作成する。なお、この設定情報とは前述のログ記録設定情報作成４０６又はログ転送設定情報作成４０８に相当する。作成された設定情報作成は、設定情報転送部１６０４に渡されて（Ｓ２４０７）、設定情報転送部１６０４から画像形成装置２に転送される（Ｓ２４０８）。画像形成装置２は、転送されてきた設定情報（ログ記録設定情報作成４０６又はログ転送設定情報作成４０８）にこれを更新する。画像形成装置２は、更新後、新たなログ記録設定情報作成４０６又はログ転送設定情報作成４０８に従って、ログ記録及びログ転送を行う。
【００９５】
以上本実施形態によるログ転送システムによれば、ログサーバ２は、実際に記録されたログを参照可能な参照画面及び設定操作可能な操作画面を提供し、その画面から実際に記録されたログを参照及び操作しながら、あるイベントを選択し、そのイベントのログ記録及び転送の有無、そのイベントの属性情報の記録及び転送の有無、さらにそのイベントの属性情報の値に応じた記録及び転送の有無を、ログ転送装置に対して直感的に設定することができる。特に、イベントの属性情報の値に応じた記録及び転送の有無を、実際に記録（出力）された値を見ながら、どのような値が取得されたときにそのイベントのログ記録及び転送が必要（又は不必要）であるかを容易に設定できる。また、難易度の高い複雑なログ記録及び転送設定であっても容易に設定できるので、転送装置側及びログサーバ２側において不要なログを排除して適切なログの間引きを可能にする。
【００９６】
以上、本発明によれば、ログフィルタ設定を容易に行える情報処理装置、ログ管理システム及びログ管理方法を提供することが可能となる。より具体的には、必要なログのみ記録又は転送するようにし、不要なログは記録又は転送しないよう、容易にログフィルタ設定を行えて適切なログの間引きを可能とする情報処理装置、ログ管理システム及びログ管理方法を本発明により提案することが可能となる。
【００９７】
なお、本発明は係る特定の実施形態に限定されるものではなく、特許請求の範囲に記載された本発明の要旨の範囲内において、種々の変形・変更が可能である。
【符号の説明】
【００９８】
１        画像形成装置
２        ログサーバ
３        プリンタ
４        情報処理装置
５        ネットワーク
１１        操作パネル
１１ａ    入力装置
１１ｂ    表示装置
１２        記憶メディアＩ／Ｆ
１２ａ    ドライブ装置
１２ｂ    記録媒体
１３        コントローラ
１３ａ    ＲＯＭ
１３ｂ    ＲＡＭ
１３ｃ    ＣＰＵ
１４        データ通信Ｉ／Ｆ
１４ａ    インターフェース装置
１５        スキャナ
１５ａ    画像読取装置
１６        プロッタ
１６ａ    印刷装置
１７        ＨＤＤ
２０１    ＣＰＵ
２０２    ＲＯＭ
２０３    ＲＡＭ
２０４    補助記憶装置
２０５    記憶媒体読取装置
２０６    入力装置
２０７    表示装置
２０８    通信装置
４０１    ログ生成部
４０２    ログ記録部
４０３    ＵＩ提供部
４０４    ログ管理部
４０５    ログ蓄積部
４０６    ログ記録設定情報
４０７    ログ転送部
４０８    ログ転送設定情報
１６０１    ログ管理部
１６０２    ＵＩ提供部
１６０３    設定情報作成部
１６０４    設定情報転送部
１６０５    ログ蓄積部
【先行技術文献】
【特許文献】
【００９９】
【特許文献１】特開２００６−１０７２１７号公報
【特許文献２】特開平１１−１３６４２８号公報
【図１】
2010218313.tif 000003
【図２】
2010218313.tif 000004
【図３】
2010218313.tif 000005
【図４】
2010218313.tif 000006
【図５】
2010218313.tif 000007
【図６】
2010218313.tif 000008
【図７】
2010218313.tif 000009
【図８】
2010218313.tif 000010
【図９】
2010218313.tif 000011
【図１０】
2010218313.tif 000012
【図１１】
2010218313.tif 000013
【図１２】
2010218313.tif 000014
【図１３】
2010218313.tif 000015
【図１４】
2010218313.tif 000016
【図１５】
2010218313.tif 000017
【図１６】
2010218313.tif 000018
【図１７】
2010218313.tif 000019
【図１８】
2010218313.tif 000020
【図１９】
2010218313.tif 000021
【図２０】
2010218313.tif 000022
【図２１】
2010218313.tif 000023
【図２２】
2010218313.tif 000024
【図２３】
2010218313.tif 000025
【図２４】
2010218313.tif 000026